(57)【特許請求の範囲】
【請求項１】
被検体に装着されるホルダの装着部に固定するための筐体と、
前記筐体の先端部に配置され、光を出射する発光部と、
一端部が発光部と接続されるとともに、他端部が制御部と接続される伝送路とを備え、
前記ホルダに固定されることで、当該被検体に光を照射する送光用プローブであって、
前記筐体の先端部は、複数本の棒状の突出部を有し、
前記発光部は複数個の発光素子であり、当該発光素子は各突出部の先端部にそれぞれ配置されており、
前記伝送路は複数本の伝送路であり、当該伝送路は各突出部の内部にそれぞれ配置されていることを特徴とする送光用プローブ。
【請求項２】
被検体に装着されるホルダの装着部に固定するための筐体と、
前記筐体の先端部に配置され、光を検出する受光部と、
一端部が受光部と接続されるとともに、他端部が制御部と接続される伝送路とを備え、
前記ホルダに固定されることで、当該被検体から放出される光を受光する受光用プローブであって、
前記筐体の先端部は、複数本の棒状の突出部を有し、
前記受光部は複数個の受光素子であり、当該受光素子は各突出部の先端部にそれぞれ配置されており、
前記伝送路は複数本の伝送路であり、当該伝送路は各突出部の内部にそれぞれ配置されていることを特徴とする受光用プローブ。
【請求項３】
被検体に装着されるホルダの装着部に固定するための筐体と、
前記筐体の先端部に配置され、光を出射する発光部と、
一端部が発光部と接続されるとともに、他端部が制御部と接続される伝送路と、
前記筐体の先端部に配置され、光を検出する受光部と、
一端部が受光部と接続されるとともに、他端部が制御部と接続される伝送路とを備え、
前記ホルダに固定されることで、当該被検体に光を照射するとともに、当該被検体から放出される光を受光する送受光用プローブであって、
前記筐体の先端部は、複数本の棒状の突出部を有し、
前記発光部は発光素子であり、当該発光素子は突出部の先端部に配置されており、
前記受光部は受光素子であり、当該受光素子は突出部の先端部に配置されており、
前記伝送路は複数本の伝送路であり、当該伝送路は各突出部の内部にそれぞれ配置されていることを特徴とする送受光用プローブ。
【請求項４】
請求項１〜請求項３のいずれかに記載のプローブと、
前記被検体に装着されるホルダと、
前記プローブに対して光の送光又は受光を制御する制御部とを備えることを特徴とする光測定装置。
【発明の詳細な説明】
【技術分野】
【０００１】
本発明は、光を用いて非侵襲で脳活動を測定するための送光用プローブ、受光用プローブ、送受光用プローブ及びこれを用いた光測定装置に関する。
【背景技術】
【０００２】
近年、脳の活動状況を観察するために、光を用いて簡便に非侵襲で測定する光脳機能イメージング装置（光測定装置）が開発されている。このような光脳機能イメージング装置では、送光用プローブと受光用プローブとを備える。これにより、光脳機能イメージング装置では、被検者の頭部表面上に配置した送光用プローブにより、異なる３種類の波長λ１、λ２、λ３（例えば、７８０ｎｍと８０５ｎｍと８３０ｎｍ）の近赤外光を脳に照射するとともに、頭部表面上に配置した受光用プローブにより、脳から放出された各波長の近赤外光の強度（受光量情報）Ａ（λ１）、Ａ（λ２）、Ａ（λ３）をそれぞれ検出する。【０００３】
そして、このようにして得られた受光量情報Ａ（λ１）、Ａ（λ２）、Ａ（λ３）から、脳血流中のオキシヘモグロビンの濃度・光路長積[oxyHb]と、デオキシヘモグロビンの濃度・光路長積[deoxyHb]とを求めるために、例えば、Modified Beer Lambert則を用いて関係式（１）（２）（３）に示す連立方程式を作成して、この連立方程式を解いている（例えば、非特許文献１参照）。さらには、オキシヘモグロビンの濃度・光路長積[oxyHb]と、デオキシヘモグロビンの濃度・光路長積[deoxyHb]とから総ヘモグロビンの濃度・光路長積（[oxyHb]＋[deoxyHb]）を算出している。
Ａ（λ１）＝ＥＯ（λ１）×[oxyHb]＋Ｅｄ（λ１）×[deoxyHb]・・・（１）
Ａ（λ２）＝ＥＯ（λ２）×[oxyHb]＋Ｅｄ（λ２）×[deoxyHb]・・・（２）
Ａ（λ３）＝ＥＯ（λ３）×[oxyHb]＋Ｅｄ（λ３）×[deoxyHb]・・・（３）
なお、ＥＯ（λｍ）は、波長λｍの光におけるオキシヘモグロビンの吸光度係数であり、Ｅｄ（λｍ）は、波長λｍの光におけるデオキシヘモグロビンの吸光度係数である。【０００４】
ここで、送光用プローブと受光用プローブとの間の距離（チャンネル）と、測定部位との関係について説明する。図５（ａ）は、一対の送光用プローブ及び受光用プローブと、測定部位との関係を示す断面図であり、図５（ｂ）は、図５（ａ）の平面図である。
送光用プローブ１１２が被検者の頭部表面の送光点Ｔに押し当てられるとともに、受光用プローブ１１３が被検者の頭部表面の受光点Ｒに押し当てられる。そして、送光用プローブ１１２から光を照射させるとともに、受光用プローブ１１３に頭部表面から放出される光を入射させる。このとき、光は、頭部表面の送光点Ｔから照射された光のうちで、バナナ形状（測定領域）を通過した光が、頭部表面の受光点Ｒに到達する。これにより、測定領域の中でも、特に送光点Ｔと受光点Ｒとを被検者の頭部表面に沿って最短距離で結んだ線Ｌの中点Ｍから、送光点Ｔと受光点Ｒとを被検者の頭部表面に沿って最短距離で結んだ線の距離の半分の深さＬ／２である被検者の測定部位Ｓに関する受光量情報Ａ（λ１）、Ａ（λ２）、Ａ（λ３）が得られるとしている。【０００５】
また、光脳機能イメージング装置では、脳の複数箇所の測定部位に関するオキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）をそれぞれ測定するために、例えば、近赤外分光分析計（以下、ＮＩＲＳと略す）等が利用されている（例えば、特許文献１参照）。
図６は、従来の光脳機能イメージング装置の概略構成の一例を示すブロック図である。
光脳機能イメージング装置（近赤外分光分析計）１０１は、直方体形状の筐体６を有する。筐体６の内部には、光を出射する光源（発光部）１０２と、光源１０２を駆動する光源駆動機構４と、受光量情報Ａｎ（λｍ）を検出する光検出器（受光部）１０３と、Ａ／Ｄ（Ａ／Ｄコンバータ）５と、送受光用制御部２１と、解析用制御部２２と、メモリ２３とを備えるとともに、筐体６の外部には、被検者の頭部に装着されるホルダ５０と、ホルダ５０に固定されるＮ個の送光用プローブ１１２と、ホルダ５０に固定されるＭ個の受光用プローブ１１３と、モニタ画面２６ａ等を有する表示装置２６と、キーボード（入力装置）２７とを備える。【０００６】
光源駆動機構４は、送受光用制御部２１から入力された駆動信号により光源１０２を駆動する。光源１０２は、例えば、異なる３種類の波長λ１、λ２、λ３の近赤外光を出射することができる半導体レーザＬＤ１、ＬＤ２、ＬＤ３等である。
光検出器１０３は、近赤外光をそれぞれ検出することにより、受光信号（受光量情報）Ａ（λ１）、Ａ（λ２）、Ａ（λ３）をＡ／Ｄ５を介して送受光用制御部２１に出力する検出器であり、例えば、光電子増倍管等が用いられる。【０００７】
このような近赤外分光分析計１０１では、Ｎ個の送光用プローブ１１２と、Ｍ個の受光用プローブ１１３とを所定の配列で被検者の頭部表面に密着させるために、ホルダ５０が使用される。ホルダ５０としては、例えば、頭部表面の形状に合わせて椀形状に成型されたものが使用される。図７は、ホルダの一例を示す斜視図である。ホルダ５０には、（Ｎ＋Ｍ）個の貫通孔（装着部）５１が行方向と列方向とで３０ｍｍをあけるように形成されている。貫通孔５１は円柱形状で、その直径は１０ｍｍ程度であり、深さは５ｍｍ程度である。【０００８】
そして、図８は、送光用プローブ（受光用プローブ）の一例を示す図である。図８（ａ）は、送光用プローブの斜視図であり、図８（ｂ）は、送光用プローブの断面図であり、図８（ｃ）は、送光用プローブの正面図である。
送光用プローブ１１２は、外径が１０ｍｍ程度である円筒形状の筐体１１２ａを有し、筐体１１２ａの外周面は、貫通孔５１の内周面に固定できるようになっている。筐体１１２ａの内部には、直径２ｍｍの管状の送光用光ファイバ１３０ａの一端部が挿入されている。これにより、送光用光ファイバ１３０ａの他端部が、発光部１０２と接続されることで、送光用光ファイバ１３０ａの他端部から入射した近赤外光が、送光用光ファイバ１３０ａの内部を通過して送光用光ファイバ１３０ａの一端部（送光用プローブ１１２の先端）から出射することができるようになっている。
受光用プローブ１１３も、送光用プローブ１１２と同様の構造をしており、外径が１０ｍｍ程度である円筒形状の筐体１１３ａを有し、筐体１１３ａの外周面は、貫通孔５１の内周面に固定できるようになっている。筐体１１３ａの内周面には、直径２ｍｍの管状の受光用光ファイバ１４０ａの一端部が挿入されている。これにより、受光用光ファイバ１４０ａの他端部が、光検出器１０３と接続されることで、受光用光ファイバ１４０ａの一端部（受光用プローブ１１３の先端）から入射した近赤外光が、受光用光ファイバ１４０ａの内部を通過して受光用光ファイバ１４０ａの他端部から出射することができるようになっている。【０００９】
このようなＮ個の送光用プローブ１１２とＭ個の受光用プローブ１１３とが、ホルダ５０の貫通孔５１に、行方向と列方向とに交互となるように挿入されることになる。図９は、Ｎ個の送光用プローブとＭ個の受光用プローブとの位置関係の一例を示す図である。なお、送光用プローブ１１２を白丸で示し、受光用プローブ１１３を黒丸で示す。
このとき、ホルダ５０のどの貫通孔５１に、どの送光用プローブ１１２Ｔ１〜１１２Ｔｎ又は受光用プローブ１１３Ｒ１〜１１３Ｒｍが挿入されたかが認識されるように、各貫通孔５１には、異なる番号（Ｔ１、Ｔ２、・・・、Ｔｎ、Ｒ１、Ｒ２、・・・、Ｒｍ）がそれぞれ振り当てられているとともに、各送光用プローブ１１２Ｔ１〜１１２Ｔｎにも、異なる番号（Ｔ１、Ｔ２、・・・、Ｔｎ）がそれぞれ振り当てられ、各受光用プローブ１１３Ｒ１〜１１３Ｒｍにも、異なる番号（Ｒ１、Ｒ２、・・・、Ｒｍ）がそれぞれ振り当てられている。これにより、各送光用プローブ１１２Ｔ１〜１１２Ｔｎと各受光用プローブ１１３Ｒ１〜１１３Ｒｍとは、対応する番号の各貫通孔５１にそれぞれ挿入される。【００１０】
そして、Ｎ個の送光用プローブ１１２Ｔ１〜１１２ＴｎとＭ個の受光用プローブ１１３Ｒ１〜１１３Ｒｍとの位置関係では、１個の受光用プローブ１１３で、複数個の送光用プローブ１１２から照射された光を同時に受光しないで、１個の送光用プローブ１１２から照射された光のみを受光するように、送光用プローブ１１２から光を照射するタイミングと、受光用プローブ１１３で光を受光するタイミングとを調整する必要がある。このため、メモリ２３には、光源１０２で光を出射するタイミングと光検出器１０３で光を検出するタイミングとを示す制御テーブルが記憶されている。
このような制御テーブルがメモリ２３に記憶された送受光用制御部２１は、所定の時間に、１個の送光用プローブ１１２に光を送光する駆動信号を光源１０２に出力するとともに、受光用プローブ１１３で受光された受光信号（受光量情報）を光検出器１０３で検出する。その結果、Ｘ箇所の測定部位に関する受光量情報Ａｘ（λ１）、Ａｘ（λ２）、Ａｘ（λ３）（ｘ＝１，２，・・・，Ｘ）の収集が行なわれる。【００１１】
解析用制御部２２は、Ｘ箇所の測定部位に関する受光量情報Ａｘ（λ１）、Ａｘ（λ２）、Ａｘ（λ３）（ｘ＝１，２，・・・，Ｘ）に基づいて、関係式（１）（２）（３）を用いて、各波長（オキシヘモグロビンの吸収波長及びデオキシヘモグロビンの吸収波長）の通過光強度から、オキシヘモグロビンの濃度・光路長積[oxyHb]、デオキシヘモグロビンの濃度・光路長積[deoxyHb]及び総ヘモグロビンの濃度・光路長積（[oxyHb]＋[deoxyHb]）を求めている。
【先行技術文献】
【特許文献】
【００１２】
【特許文献１】特開２００６−１０９９６４号公報
【非特許文献】
【００１３】
【非特許文献１】Factors affecting the accuracy of near-infrared spectroscopy concentration calculations for focal changes in oxygenation parameters, NeuroImage 18, 865-879, 2003
【発明の概要】
【発明が解決しようとする課題】
【００１４】
しかしながら、ホルダ５０を被検者の頭部に装着させた後に、送光用プローブ１１２Ｔ１〜１１２Ｔｎや受光用プローブ１１３Ｒ１〜１１３Ｒｍをホルダ５０の貫通孔５１に固定することになるが、人体の頭部表面には毛髪が存在するので、毛髪を避けて送光用プローブ１１２Ｔ１〜１１２Ｔｎや受光用プローブ１１３Ｒ１〜１１３Ｒｍの先端を頭部表面に接触させなければならないため、毛髪を掻き分けながら送光用プローブ１１２Ｔ１〜１１２Ｔｎや受光用プローブ１１３Ｒ１〜１１３Ｒｍを取り付けるという作業が発生する。
よって、送光用プローブ１１２Ｔ１〜１１２Ｔｎや受光用プローブ１１３Ｒ１〜１１３Ｒｍをホルダ５０の貫通孔５１に固定する場合には、毛髪を掻き分けることになり、医師等にとっては非常に手間がかかり、被検者にとっては長い時間拘束されるため非常にストレスがかかるものであった。
さらに、被検者はリハビリ等の運動を毎日行うこともあり、そして、その場所が被検者の家等である場合に、家族等が被検者にホルダ５０の貫通孔５１へ送光用プローブ１１２Ｔ１〜１１２Ｔｎや受光用プローブ１１３Ｒ１〜１１３Ｒｍを固定するには非常に手間と時間がかかっていた。
【課題を解決するための手段】
【００１５】
そこで、発明者は、被検者の頭部に短時間で配置することができるプローブについて検討を行った。上述したようなプローブでは、先端を頭部表面と接触させる際に、毛髪を掻き分ける必要がある。よって、プローブをホルダへ固定する際に、プローブ自体が毛髪を掻き分けるようにすることを見出した。つまり、プローブの先端部を櫛型形状にした。【００１６】
本発明の送光用プローブは、被検体に装着されるホルダの装着部に固定するための筐体と、前記筐体の先端部に配置され、光を出射する発光部と、一端部が発光部と接続されるとともに、他端部が制御部と接続される伝送路とを備え、前記ホルダに固定されることで、当該被検体に光を照射する送光用プローブであって、前記筐体の先端部は、複数本の棒状の突出部を有し、前記発光部は複数個の発光素子であり、当該発光素子は各突出部の先端部にそれぞれ配置されており、前記伝送路は複数本の伝送路であり、当該伝送路は各突出部の内部にそれぞれ配置されているようにしている。【００１７】
本発明のプローブは、複数本の棒状の突出部を有する。つまり、プローブの先端は櫛型形状となっている。これにより、プローブをホルダの装着部に挿入していくと同時に毛髪を掻き分けることができる。
【発明の効果】
【００１８】
以上のように、本発明の送光用プローブによれば、被検者の頭部に短時間で配置することができる。【００１９】
（その他の課題を解決するための手段及び効果）
また、本発明の受光用プローブは、被検体に装着されるホルダの装着部に固定するための筐体と、前記筐体の先端部に配置され、光を検出する受光部と、一端部が受光部と接続されるとともに、他端部が制御部と接続される伝送路とを備え、前記ホルダに固定されることで、当該被検体から放出される光を受光する受光用プローブであって、前記筐体の先端部は、複数本の棒状の突出部を有し、前記受光部は複数個の受光素子であり、当該受光素子は各突出部の先端部にそれぞれ配置されており、前記伝送路は複数本の伝送路であり、当該伝送路は各突出部の内部にそれぞれ配置されているようにしている。
以上のように、本発明の受光用プローブによれば、被検者の頭部に短時間で配置することができる。【００２０】
また、本発明の送受光用プローブは、被検体に装着されるホルダの装着部に固定するための筐体と、前記筐体の先端部に配置され、光を出射する発光部と、一端部が発光部と接続されるとともに、他端部が制御部と接続される伝送路と、前記筐体の先端部に配置され、光を検出する受光部と、一端部が受光部と接続されるとともに、他端部が制御部と接続される伝送路とを備え、前記ホルダに固定されることで、当該被検体に光を照射するとともに、当該被検体から放出される光を受光する送受光用プローブであって、前記筐体の先端部は、複数本の棒状の突出部を有し、前記発光部は発光素子であり、当該発光素子は突出部の先端部に配置されており、前記受光部は受光素子であり、当該受光素子は突出部の先端部に配置されており、前記伝送路は複数本の伝送路であり、当該伝送路は各突出部の内部にそれぞれ配置されているようにしている。
以上のように、本発明の送受光用プローブによれば、被検者の頭部に短時間で配置することができる。【００２１】
そして、本発明の光測定装置は、上述したようなプローブと、前記被検体に装着されるホルダと、前記プローブに対して光の送光又は受光を制御する制御部とを備えるようにしてもよい。
【図面の簡単な説明】
【００２２】
【図１】本発明の一実施形態である光脳機能イメージング装置の概略構成の一例を示すブロック図。
【図２】送光用プローブの一例を示す図。
【図３】受光用プローブの一例を示す図。
【図４】送受光用プローブの一例を示す図。
【図５】送光用プローブと受光用プローブとの間の距離（チャンネル）と、測定部位との関係を示す図。
【図６】従来の光脳機能イメージング装置の概略構成の一例を示すブロック図。
【図７】ホルダの一例を示す図。
【図８】送光用プローブ（受光用プローブ）の一例を示す図。
【図９】Ｎ個の送光用プローブとＭ個の受光用プローブの位置関係の一例を示す図。
【発明を実施するための形態】
【００２３】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２４】
図１は、本発明の一実施形態である光脳機能イメージング装置の概略構成の一例を示すブロック図である。なお、光脳機能イメージング装置１０１と同様のものについては、同じ符号を付している。
光脳機能イメージング装置（近赤外分光分析計）１は、直方体形状の筐体６を有する。筐体６の内部には、発光部２（図２参照）を駆動する光源駆動機構４と、Ａ／Ｄ（Ａ／Ｄコンバータ）５と、送受光用制御部２１と、解析用制御部２２と、メモリ２３とを備えるとともに、筐体６の外部には、被検者の頭部に装着されるホルダ５０と、ホルダ５０に固定されるＮ個の送光用プローブ１２と、ホルダ５０に固定されるＭ個の受光用プローブ１３と、モニタ画面２６ａ等を有する表示装置２６と、キーボード（入力装置）２７とを備える。
【００２５】
図２は、送光用プローブの一例を示す図である。図２（ａ）は、送光用プローブの斜視図であり、図２（ｂ）は、送光用プローブの断面図であり、図２（ｃ）は、送光用プローブの正面図である。
送光用プローブ１２は、外径が１０ｍｍ程度である円筒形状の筐体１２ａを有し、筐体１２ａの外周面は、貫通孔５１の内周面に固定できるようになっている。筐体１２ａの先端部には、軸方向の伸びる５本の円柱形状の突出部１２ｂが形成されている。突出部１２ｂの直径は１ｍｍ程度であり、突出部１２ｂの長さは１０〜２０ｍｍ程度である。そして、送光用プローブ１２の先端部を軸方向から視ると、図２（ｃ）に示す通り、１個の突出部１２ｂは、送光用プローブ１２の中心に配置され、４個の突出部１２ｂは、送光用プローブ１２の周縁部に等間隔をあけて円形状に並ぶように配置されている。
【００２６】
各突出部１２ｂの先端部には、ＬＥＤ（発光素子）２がそれぞれ固定されている。ＬＥＤ２は、例えば、異なる３種類の波長λ１、λ２、λ３の近赤外光を出射することができるようになっている。
各突出部１２ｂの内部には、直径１ｍｍの管状の電線（伝送路）３０ａの一端部が挿入されている。そして、電線３０ａの一端部がＬＥＤ２と接続されている。また、電線３０ａの他端部がお互いに接続されて電線３０となり、電線３０の他端部が光源駆動機構４と接続されている。これにより、光源駆動機構４は、送受光用制御部２１から入力された駆動信号によりＬＥＤ２を駆動することができるようになっている。
【００２７】
図３は、受光用プローブの一例を示す図である。図３（ａ）は、受光用プローブの斜視図であり、図３（ｂ）は、受光用プローブの断面図であり、図３（ｃ）は、受光用プローブの正面図である。
受光用プローブ１３は、外径が１０ｍｍ程度である円筒形状の筐体１３ａを有し、筐体１３ａの外周面は、貫通孔５１の内周面に固定できるようになっている。筐体１３ａの先端部には、軸方向の伸びる５本の円柱形状の突出部１３ｂが形成されている。突出部１３ｂの直径は１ｍｍ程度であり、突出部１３ｂの長さは１０〜２０ｍｍ程度である。そして、受光用プローブ１３の先端部を軸方向から視ると、１個の突出部１３ｂは、送光用プローブ１３の中心に配置され、４個の突出部１３ｂは、送光用プローブ１３の周縁部に、等間隔をあけて円形状に並ぶように配置されている。
【００２８】
各突出部１３ｂの先端部には、フォトダイオード（受光素子）３がそれぞれ固定されている。フォトダイオード３は、近赤外光をそれぞれ検出することにより、受光信号（受光量情報）Ａ（λ１）、Ａ（λ２）、Ａ（λ３）を出力することができるようになっている。
各突出部１３ｂの内部には、直径１ｍｍの管状の電線（伝送路）４０ａの一端部が挿入されている。そして、電線４０ａの一端部がフォトダイオード３と接続されている。また、電線４０ａの他端部がお互いに接続されて電線４０となり、電線４０の他端部がＡ／Ｄ５を介して送受光用制御部２１と接続されている。これにより、フォトダイオード３は、受光信号（受光量情報）Ａ（λ１）、Ａ（λ２）、Ａ（λ３）をＡ／Ｄ５を介して送受光用制御部２１に出力することができるようになっている。
【００２９】
そして、ホルダ５０を被検者の頭部に装着させた後に、送光用プローブ１２Ｔ１〜１２Ｔｎや受光用プローブ１３Ｒ１〜１３Ｒｍをホルダ５０の貫通孔５１に固定することになるが、人体の頭部表面に毛髪が存在しても、送光用プローブ１２Ｔ１〜１２Ｔｎや受光用プローブ１３Ｒ１〜１３Ｒｍの先端部が挿入される際に毛髪を掻き分けるので、被検者の頭部に短時間で装着することができる。
【００３０】
（他の実施形態）
上述した光脳機能イメージング装置１では、Ｎ個の送光用プローブ１２と、Ｍ個の受光用プローブ１３とを用いるような構成を示したが、（Ｎ＋Ｍ）個の送受光用プローブ１４を用いるような構成としてもよい。
図４は、送受光用プローブの一例を示す図である。図４（ａ）は、送受光用プローブの斜視図であり、図４（ｂ）は、送受光用プローブの断面図であり、図４（ｃ）は、送受光用プローブの正面図である。
送受光用プローブ１４は、外径が１０ｍｍ程度である円筒形状の筐体１４ａを有し、筐体１４ａの外周面は、貫通孔５１の内周面に固定できるようになっている。筐体１４ａの先端部には、軸方向の伸びる４本の円柱形状の突出部１４ｂが形成されている。突出部１４ｂの直径は１ｍｍ程度であり、突出部１４ｂの長さは１０〜２０ｍｍ程度である。そして、送受光用プローブ１４の先端部を軸方向から視ると、４個の突出部１４ｂは、送光用プローブ１４の周縁部に、等間隔をあけて円形状に順番に並ぶように配置されている。
【００３１】
第一の突出部１４ｂと第三の突出部１４ｂとの先端部には、ＬＥＤ（発光素子）２がそれぞれ固定されている。第一の突出部１４ｂと第三の突出部１４ｂとの内部には、直径１ｍｍの管状の電線（伝送路）３０ａの一端部が挿入されている。そして、電線３０ａの一端部がＬＥＤ２と接続されている。また、電線３０ａの他端部がお互いに接続されて電線３０となり、電線３０の他端部が光源駆動機構４と接続されている。これにより、光源駆動機構４は、送受光用制御部２１から入力された駆動信号によりＬＥＤ２を駆動することができるようになっている。
【００３２】
第二の突出部１４ｂと第四の突出部１４ｂとの先端部には、フォトダイオード（受光素子）３がそれぞれ固定されている。第二の突出部１４ｂと第四の突出部１４ｂとの内部には、直径１ｍｍの管状の電線（伝送路）４０ａの一端部が挿入されている。そして、電線４０ａの一端部がフォトダイオード３と接続されている。また、電線４０ａの他端部がお互いに接続されて電線４０となり、電線４０の他端部がＡ／Ｄ５を介して送受光用制御部２１と接続されている。これにより、フォトダイオード３は、受光信号（受光量情報）Ａ（λ１）、Ａ（λ２）、Ａ（λ３）をＡ／Ｄ５を介して送受光用制御部２１に出力することができるようになっている。
【産業上の利用可能性】
【００３３】
本発明は、非侵襲で脳活動を測定する光脳機能イメージング装置等に利用することができる。
【符号の説明】
【００３４】
１：光脳機能イメージング装置（光測定装置）
２：発光素子（発光部）
３：受光素子（光検出部）
１２：送光用プローブ
１２ａ：筐体
１２ｂ：突出部
２１：送受光用制御部
３０：電線（伝送路）
３０ａ：電線（伝送路）
５０：ホルダ
５１：貫通孔（装着部）
【図１】
0005459406.tif 000002
【図２】
0005459406.tif 000003
【図３】
0005459406.tif 000004
【図４】
0005459406.tif 000005
【図５】
0005459406.tif 000006
【図６】
0005459406.tif 000007
【図７】
0005459406.tif 000008
【図８】
0005459406.tif 000009
【図９】
0005459406.tif 000010